(57)【要約】【課題】接続ジャックを搭載する回路基板を上下外装ケースによって被包する電子機器に於て、該上下外装ケースによって前記接続ジャックを固定できるようにすると共に、該上下外装ケースを互いに固定して、上下外装ケースの変形を防止する。【解決手段】本発明は、回路基板（上下回路基板４，５）を上下外装ケース２１，１８によって被包する外装ケース１７を有する電子機器に於て、該上下外装ケース２１，１８の一方の外装ケースの一側部に上下方向に延びる長孔２０を開穿すると共に、他方の外装ケースの一側部に該長孔２０の目隠しとなり、且つ、前記長孔２０に嵌入自在の突部２４を設けた垂設部２３を設け、該長孔２０に該突部２４を嵌入させることにより前記上下外装ケース２１，１８を固定し、該上下外装ケース２１，１８の変位を規制する電子機器を提供する。【選択図】　図１
2004128114.tif 000002
【特許請求の範囲】
【請求項１】
回路基板を上下外装ケースによって被包する外装ケースを有する電子機器に於て、該上下外装ケースの一方の外装ケースの一側部に上下方向に延びる長孔を開穿すると共に、他方の外装ケースの一側部に該長孔の目隠しとなり、且つ、前記長孔に嵌入自在の突部を設けた垂設部を設け、該長孔に該突部を嵌入させることにより前記上下外装ケースを固定し、該上下外装ケースの変位を規制することを特徴とする電子機器。
【請求項２】
上記突部の上記長孔への嵌入方向先端上部を面取りして、嵌入及び取り外しを容易にしたことを特徴とする請求項１記載の電子機器。
【請求項３】
上記垂設部及び上記長孔は夫々上記上下外装ケースの長手方向略中央部に設けられていることを特徴とする請求項１又は２記載の電子機器。
【請求項４】
上記突部の厚みを上記長孔が形成された外装ケースの一側部と略同厚み、或いは、該厚み以下に形成して、嵌入及び取り外しを容易にしたことを特徴とする請求項１，２又は３記載の電子機器。
【請求項５】
上記突部の上端縁は上記長孔の上部内周に当接すべく円弧状に形成されていることを特徴とする請求項１，２，３又は４記載の電子機器。
【請求項６】
上記長孔から接続ジャックを貫通させて外方に突出させると共に、上記垂設部が当接して前記接続ジャックを保持することを特徴とする請求項１，２，３，４又は５記載の電子機器。
【発明の詳細な説明】
【０００１】
【発明の属する技術分野】
この発明は、電子機器に関するものであり、特に、接続ジャックを搭載する回路基板を上下外装ケースによって被包する電子機器に於て、該上下外装ケースで前記接続ジャックを固定すると共に、該上下外装ケースを互いに固定して、上下外装ケースの変形を防止するようにした電子機器に関するものである。
【０００２】
【従来の技術及び発明が解決しようとする課題】
従来の此種電子機器を図４及び図５に従って説明する。図４に於て、１は主としてインターネット上で送受信する画像情報を撮影するためのインターネットカメラを構成する電子機器であり、該電子機器１は、カメラモジュール（図示せず）、接続ジャックであるピンジャック２、及び、その他各種電子部品３，３…を搭載した上下回路基板４，５と、該上下回路基板４，５を被包する金属製の上下シールドケース６，７と、該上下シールドケース６，７を、更に、被包する合成樹脂製の上下外装ケース８，９で構成される外装ケース１０とから成る。
【０００３】
そして、前記ピンジャック２は前記下回路基板５に搭載され、該ピンジャック２の先端は前記上下シールドケース６，７、及び、前記外装ケース１０の側部１１を貫通し外方に突出するように構成されている。同様に、他の接続ジャック等の電子部品３，３…の先端も、適宜、前記上下シールドケース６，７、及び、前記外装ケース１０の側部１１を貫通し外方に突出するように構成されている。
【０００４】
而して、前記下外装ケース９の側部１２には前記ピンジャック２を貫通させるべく、上方に開放するＵ字状の切欠部１３が形成され、一方、前記上外装ケース８の側部１４には該切欠部１３を目隠しするための垂設部１５が形成され、該垂設部１５の下端部は前記ピンジャック２に当接して保持すべく、該ピンジャック２の上端部と略同径の円弧状に切欠された当接部１６が形成されている。
【０００５】
従って、図４及び図５に示す如く、前記上下回路基板４，５を前記上下シールドケース６，７で被包し、該上下シールドケース６，７を前記外装ケース１０で被包する時、前記ピンジャック２は前記下外装ケース９に形成された前記切欠部１３内に嵌合し、且つ、該切欠部１３を貫通して外方に突出し、更に、前記上外装ケース８に形成された前記垂設部１５の当接部１６が上方から前記ピンジャック２に当接して、該ピンジャック２を固定する。これによって、該ピンジャック２は、外力がかかっても、該ピンジャック２が前記回路基板５から離脱することがなく、且つ、該ピンジャック２の変形或いは破損が防止される。
【０００６】
同時に、前記垂設部１５によって前記Ｕ字状の切欠部１３に嵌合した前記ピンジャック２上方を目隠しして、外観を良好にすると共に、該切欠部１３からの塵埃等の侵入を防止する。
【０００７】
更に、前記電子機器１の前記外装ケース１０は互いに嵌合した後、図示しないフック及びネジによって左右端を互いに係合及び螺着されて固定される。
然しながら、前記外装ケース１０は合成樹脂で成型されるため、変形する虞があり、特に、該外装ケース１０の長手方向にそりを生じ、従来、該外装ケース１０は長手方向両端部が固着されているため、該外装ケース１０は長手方向中央部で開いてしまうという問題がある。
【０００８】
従って、そりを防止するため、該外装ケース１０の長手方向中央部を互いにボルト等で固着する方法が考えられるが、該外装ケース１０の内部には前記上下回路基板４，５が内装されるため、該外装ケース１０の長手方向中央部、又は、中央側部をボルトで固着することは設計上やや困難を伴う。
【０００９】
そのため、従来、前記外装ケース１０の長手方向中央部のそりを防止する手段は講じられていない。
そこで、接続ジャックを搭載する回路基板を上下外装ケースによって被包する電子機器に於て、該上下外装ケースで前記接続ジャックを固定すると共に、該上下外装ケースを互いに固定して、上下外装ケースの変形を防止するために解決すべき技術的課題が生じてくるのであり、本発明はこの課題を解決することを目的とする。
【００１０】
【課題を解決するための手段】
本発明は上記目的を達成するために提案されたものであり、回路基板を上下外装ケースによって被包する外装ケースを有する電子機器に於て、該上下外装ケースの一方の外装ケースの一側部に上下方向に延びる長孔を開穿すると共に、他方の外装ケースの一側部に該長孔の目隠しとなり、且つ、前記長孔に嵌入自在の突部を設けた垂設部を設け、該長孔に該突部を嵌入させることにより前記上下外装ケースを固定し、該上下外装ケースの変位を規制する電子機器、
及び、上記突部の上記長孔への嵌入方向先端上部を面取りして、嵌入及び取り外しを容易にした電子機器、
及び、上記垂設部及び上記長孔は夫々上記上下外装ケースの長手方向略中央部に設けられている電子機器、
及び、上記突部の厚みを上記長孔が形成された外装ケースの一側部と略同厚み、或いは、該厚み以下に形成して、嵌入及び取り外しを容易にした電子機器、
及び、上記突部の上端縁は上記長孔の上部内周に当接すべく円弧状に形成されている電子機器、
並びに、上記長孔から接続ジャックを貫通させて外方に突出させると共に、上記垂設部が当接して前記接続ジャックを保持する電子機器を提供するものである。
【００１１】
【発明の実施の形態】
以下、本発明の一実施の形態を図１乃至図３に従って詳述する。尚、説明の都合上、従来例と同一構成部分については同一符号を付してその説明を省略する。図１に於て、１７は外装ケースであり、該外装ケース１７の下外装ケース１８は従来例の下外装ケース（図４に於て９）の側部（図４に於て１２）に形成された切欠部（図４に於て１３）に代えて、該下外装ケース１８の側部１９に、ピンジャック２を貫通させて外方に突出させる上下方向に延びる長孔２０が開穿されている。
【００１２】
そして、該長孔２０の開穿位置は前記ピンジャック２の位置によって決定されるが、該ピンジャック２の位置及び該長孔２０の位置を、可及的に、前記下外装ケース１８の長手方向中心位置近傍に設定する。
【００１３】
又、前記外装ケース１７の上外装ケース２１は従来例の上外装ケース（図４に於て８）の側部（図４に於て１４）に形成された垂設部（図４に於て１５）に代えて該上外装ケース２１の側部２２に垂設部２３が設けられ、該垂設部２３は先端外方に前記長孔２０に嵌入自在の突部２４が形成されている。
【００１４】
更に、詳細には、図２に示す如く、該突部２４の上端縁は前記長孔２０の上部内周に沿って当接すべく円弧状に形成され、且つ、該突部２４の厚みは前記長孔２０が形成された側部１９と略同厚み、或いは、該厚み以下に形成され、更に、該突部２４の前記長孔２０への嵌入方向先端上部は面取り２４ａされて、該長孔２０への嵌入及び取り外しが容易になるように構成されている。
【００１５】
而して、図１及び図３に示す如く、前記上下回路基板４，５を前記上下シールドケース６，７で被包し、更に、該上下シールドケース６，７を前記外装ケース１７で被包する時、前記ピンジャック２は前記下外装ケース１８に形成された前記長孔２０内に嵌合し、該長孔２０内を貫通して外方に突出し、更に、前記上外装ケース２１に形成された前記垂設部２３の当接部１６が前記ピンジャック２に上方から当接して、該ピンジャック２を確実に固定する。これによって、該ピンジャック２は、外力が掛かった場合に於ても、該ピンジャック２の前記回路基板５からの離脱、及び、変形、或いは、破損が防止されると共に、前記垂設部２３は前記長孔２０の目隠し、及び、塵埃等の進入防止を図ることができる。
【００１６】
それと同時に、該垂設部２３に形成された前記突部２４が前記長孔２０に嵌入して該垂設部２３と該長孔２０が開穿された側部１９とが固定され、これによって、該垂設部２３が設けられた上外装ケース２１と、該側部１９が設けられた下外装ケース１８とが固定され、該上下外装ケース２１，１８の変形による変位、特に、そりによる該上下外装ケース２１，１８間の開きを防止することができる。
【００１７】
尚、該上下外装ケース２１，１８は、図示しないフック及びネジによって左右端を互いに係合及び螺着されて固定される。
又、前記上外装ケース２１を前記下外装ケース１８から取り外す時は、該上下外装ケース２１，１８左右端の前記ネジ及びフックを外し、前記上外装ケース２１をやや強く上方に引くと、前記突部２４の先端上部が面取り２４ａしてあるので、該突部２４が前記長孔２０から容易に外れて、前記上外装ケース２１が前記下外装ケース１８から取り外される。
【００１８】
尚、本発明は、本発明の精神を逸脱しない限り種々の改変を為すことができ、そして、本発明が該改変されたものに及ぶことは当然である。
【００１９】
【発明の効果】
本発明は上記一実施の形態に詳述したように、請求項１記載の発明は、電子機器に於て、上下外装ケースの一方の外装ケースの一側部に上下方向に延びる長孔を開穿すると共に、他方の外装ケースの一側部に該長孔の目隠しとなり、且つ、前記長孔に嵌入自在の突部を設けた垂設部を設けたので、該長孔に該突部を嵌入させることにより前記上下外装ケースを固定し、該上下外装ケースの変位を規制し、該上下外装ケースのそりによる該上下外装ケースの互いの開きを防止することが可能となる。
【００２０】
又、請求項２記載の発明は、上記突部の上記長孔への嵌入方向先端上部を面取りしたので、請求項１記載の発明の効果に加え、該突部の該長孔への嵌入及び取り外しが容易になる。
【００２１】
更に、請求項３記載の発明は、上記垂設部及び上記長孔は夫々上記上下外装ケースの長手方向略中央部に設けられているので、請求項１又は２記載の発明の効果に加え、該上下外装ケースの変形、特に、そりによる該上下外装ケース間の開きを確実に防止することができる。
【００２２】
更に又、請求項４記載の発明は、上記突部の厚みを上記長孔が形成された外装ケースの一側部と略同厚み、或いは、該厚み以下に形成したので、請求項１，２又は３記載の発明の効果に加え、前記突部と前記長孔の嵌入及び取り外しが容易になる。
【００２３】
そして、請求項５記載の発明は、上記突部の上端縁は上記長孔の上部内周に当接すべく円弧状に形成されているので、請求項１，２，３又は４記載の発明の効果に加え、該円弧状の突部が該長孔の円弧部分に沿って係合し、確実な係合が可能になる。
【００２４】
又、請求項６記載の発明は、上記長孔から接続ジャックを貫通させて外方に突出させると共に、上記垂設部が当接して前記接続ジャックを保持するので、請求項１，２，３，４又は５記載の発明の効果に加え、該接続ジャックが確実に保持される等、正に著大なる効果を奏する発明である。
【図面の簡単な説明】
【図１】本発明の一実施の形態を示し、電子機器の分解説明図。
【図２】図１に示す垂設部を説明する斜視図。
【図３】本発明の一実施の形態を示し、電子機器の正面図。
【図４】従来例を示し、電子機器の分解説明図。
【図５】従来例を示し、電子機器の正面図。
【符号の説明】
１　　　　　電子機器
１７　　　　　外装ケース
１８　　　　　下外装ケース
１９，２２　　側部
２０　　　　　長孔
２１　　　　　上外装ケース
２３　　　　　垂設部
２４　　　　　突部
２４ａ　　　　面取り
【図１】
2004128114.tif 000003
【図２】
2004128114.tif 000004
【図３】
2004128114.tif 000005
【図４】
2004128114.tif 000006
【図５】
2004128114.tif 000007